(57)【要約】【課題】設定作業でミスが生じた場合であっても放送用信号の出力を継続可能とすることで、放送の信頼性を高めることができるスケルチ及び放送用中継局装置を提供すること。【解決手段】放送用信号に対して周波数変換を含む所定処理を行う放送用中継局装置１に配置され、放送用信号の出力遮断制御を行うデジタルスケルチ５であって、放送用信号から、当該放送用信号を一意に識別するための識別情報を取得するＮＩＴ取得部５ｄと、取得された識別情報が、予め設定された識別情報と一致するか否かに基づいて、出力遮断制御の要否を判定するＮＩＴ判定部５ｅと、所定の第１モードにおいては、ＮＩＴ判定部５ｅの判定結果に基づいて出力遮断制御を行い、所定の第２モードにおいては、ＮＩＴ判定部５ｅの判定結果に関わらず放送用信号の出力を行うスケルチ制御部５ｆとを備える。【選択図】図２
2010068159.tif 000002
【特許請求の範囲】
【請求項１】
放送用信号に対して周波数変換を含む所定処理を行う放送用中継局装置に配置され、前記放送用信号の出力遮断制御を行うスケルチであって、
前記放送用信号から、当該放送用信号を一意に識別するための識別情報を取得する識別情報取得手段と、
前記識別情報取得手段にて取得された前記識別情報が、予め設定された識別情報と一致するか否かに基づいて、前記出力遮断制御の要否を判定する判定手段と、
所定の第１モードにおいては、前記判定手段の判定結果に基づいて前記出力遮断制御を行い、所定の第２モードにおいては、前記判定手段の判定結果に関わらず前記放送用信号の出力を行う出力遮断制御手段と、
を備えることを特徴とするスケルチ。
【請求項２】
前記第２モードは、前記出力遮断制御の要否の判定に用いる前記識別情報を前記判定手段に設定するための設定処理モードを含むこと、
を特徴とする請求項１に記載のスケルチ。
【請求項３】
前記第２モードが所定時間以上継続した場合に、当該継続した旨を報知するための出力を行う出力手段、
を備えることを特徴とする請求項１又は２に記載のスケルチ。
【請求項４】
放送用信号に対して周波数変換を含む所定処理を行う放送用中継局装置であって、
前記請求項１から３のいずれか一項に記載のスケルチ、
を備えることを特徴とする放送用中継局装置。
【発明の詳細な説明】
【技術分野】
【０００１】
本発明は、放送用信号を中継する放送用中継局装置と、この放送用中継局装置に設けられるスケルチに関する。
【背景技術】
【０００２】
従来からＴＶ放送の放送システムにおいては、放送電波を山間部等の難視聴地域に伝送するために放送用中継局装置が利用されている。この放送用中継局装置は、山の頂上付近に建てられた中継所の内部に設置され、放送局から送信された放送波をアンテナで受信し、ここで信号の増幅やノイズの除去などを行って、再び送信信号を構成してこれを放送波として目的の難視聴地域に向けて送信するものである。
【０００３】
図５は、従来の放送用中継局装置の構成を示したブロック図である。放送用中継局装置１００は、受信アンテナ１０１、受信変換部１０２、送信変換部１０３、ＰＡ（Ｐｏｗｅｒ  Ａｍｐ）１０４、及び送信アンテナ１０５を備えて構成されていた。受信アンテナ１０１は、図示しない放送局から送信された放送波を受信して放送用信号として受信変換部１０２に出力する。受信変換部１０２は、放送用信号を所定の中間信号に変換し、中間信号に対するノイズ除去や信号増幅を行った後、この中間信号を送信変換部１０３に出力する。送信変換部１０３は、中間信号を目的の周波数の放送用信号に変換し、この放送用信号をＰＡ１０４に出力する。ＰＡ１０４は、放送用信号を増幅して送信アンテナ１０５に出力し、送信アンテナ１０５は放送用信号を放送波として送信する。
【０００４】
ここで、受信変換部１０２及び送信変換部１０３の各々には、スケルチ１０２ａ、１０３ａが内蔵されていた。これらスケルチ１０２ａ、１０３ａは、放送用中継局装置１００から出力されるノイズを抑制する。すなわち、受信変換部１０２や送信変換部１０３の内部には、図示しないＡＧＣ（Ａｕｔｏｍａｔｉｃ  Ｇａｉｎ  Ｃｏｎｔｒｏｌ）が設けられており、このＡＧＣを用いて利得を自動制御することで、受信変換部１０２や送信変換部１０３からの出力レベルを所定レベルに維持する。このため、放送休止中等の理由によって放送波がない時には、受信変換部１０２や送信変換部１０３に対する入力レベルが低いものと判定してノイズを最大利得で増幅してしまい、これら受信変換部１０２や送信変換部１０３からノイズが出力され、不要放射となってしまう。この問題を防止するため、スケルチ１０２ａ、１０３ａにより、受信変換部１０２や送信変換部１０３に対する入力レベル（ＲＦレベル）を判定し、当該入力レベルが所定レベル（以下「スケルチレベル」）以下である場合には、ＡＧＣの増幅機能をＯＦＦとすること等により、放送用信号の出力を遮断していた（例えば特許文献１参照）。
【０００５】
【特許文献１】特開２００４−０４８１４１号公報
【発明の開示】
【発明が解決しようとする課題】
【０００６】
しかしながら、従来の放送用中継局装置１００においては、スケルチ１０２ａ、１０３ａにおけるＡＧＣの制御を入力レベルのみに基づいて行っていたので、例えば、放送休止中等の理由によって放送波がない時に、他の地域の同一チャンネルの放送波がスケルチレベル以上のレベルで放送用中継局装置１００に飛び込んできた場合、スケルチ１０２ａ、１０３ａは放送用信号の出力を継続してしまう可能性があった。
【０００７】
このような問題を防止するためには、スケルチ１０２ａ、１０３ａの制御を入力レベル以外の情報に基づいて行うことも考えられる。例えば、中継を行うべき所定の放送波（以下「希望波」）であるか否かを識別するための識別情報を当該放送波に含めておき、スケルチ１０２ａ、１０３ａでは、当該識別情報に基づいて放送波の判別を行い、希望波である場合には放送用信号の出力を継続し、希望波でない場合には放送用信号の出力を遮断することが考えられる。
【０００８】
このような制御を行うためには、希望波に対応する識別情報をスケルチ１０２ａ、１０３ａに予め設定しておく必要がある。また、この識別情報の設定以外にも、各種のパラメータの設定を行ったり、スケルチ１０２ａ、１０３ａのメンテナンスを行う必要がある。しかしながら、これら各種の設定作業においては、誤った情報を入力してしまったり、出力の継続に必要な情報を消去してしまったりする等、各種の設定ミスを行うことも考えられる。そして、このような設定ミスが生じた場合には、設定作業中や設定作業後において、放送用信号の出力を継続できなくなり、放送事故を招く可能性がある。
【０００９】
本発明は、上記に鑑みてなされたものであって、各種の設定作業においてミスが生じた場合であっても放送用信号の出力を継続可能とすることで、放送の信頼性を高めることができるスケルチ及び放送用中継局装置を提供することを目的とする。
【課題を解決するための手段】
【００１０】
上述した課題を解決し、目的を達成するために、請求項１に記載のスケルチは、放送用信号に対して周波数変換を含む所定処理を行う放送用中継局装置に配置され、前記放送用信号の出力遮断制御を行うスケルチであって、前記放送用信号から、当該放送用信号を一意に識別するための識別情報を取得する識別情報取得手段と、前記識別情報取得手段にて取得された前記識別情報が、予め設定された識別情報と一致するか否かに基づいて、前記出力遮断制御の要否を判定する判定手段と、所定の第１モードにおいては、前記判定手段の判定結果に基づいて前記出力遮断制御を行い、所定の第２モードにおいては、前記判定手段の判定結果に関わらず前記放送用信号の出力を行う出力遮断制御手段とを備えることを特徴とする。
【００１１】
請求項２に記載のスケルチは、請求項１に記載のスケルチにおいて、前記第２モードは、前記出力遮断制御の要否の判定に用いる前記識別情報を前記判定手段に設定するための設定処理モードを含むことを特徴とする。
【００１２】
請求項３に記載のスケルチは、請求項１又は２に記載のスケルチにおいて、前記第２モードが所定時間以上継続した場合に、当該継続した旨を報知するための出力を行う出力手段を備えることを特徴とする。
【００１３】
請求項４に記載の放送用中継局装置は、放送用信号に対して周波数変換を含む所定処理を行う放送用中継局装置であって、前記請求項１から３のいずれか一項に記載のスケルチを備えることを特徴とする。
【発明の効果】
【００１４】
請求項１に記載のスケルチ又は請求項４に記載の放送用中継局装置によれば、所定の第１モードにおいては、判定手段の判定結果に基づいて出力遮断制御を行い、所定の第２モードにおいては、判定手段の判定結果に関わらず放送用信号の出力を行うため、例えば、通常動作を行う場合には出力遮断制御を行い、各種の設定作業を行う際には放送用信号の出力を行うことで、各種の設定作業においてミスが生じた場合であっても放送用信号の出力を継続でき、放送の信頼性を高めることができる。
【００１５】
請求項２に記載のスケルチによれば、第２モードは識別情報を判定手段に設定するための設定処理モードを含むので、識別情報の設定作業中には放送用信号の出力を行うことで、識別情報の設定作業においてミスが生じた場合であっても放送用信号の出力を継続でき、放送の信頼性を高めることができる。
【００１６】
請求項３に記載のスケルチによれば、第２モードが所定時間以上継続した場合に報知出力を行うので、強制的なスルー状態が長時間継続していることを外部に報知でき、問題を確認して通常動作への復帰を行わせる等の措置を早期に講ずることが可能となる。
【発明を実施するための最良の形態】
【００１７】
以下に添付図面を参照して、この発明に係るスケルチ及び放送用中継局装置の一実施の形態を詳細に説明する。まず、〔I〕本実施の形態の基本的概念を説明した後、〔II〕本実施の形態の具体的内容について説明し、〔III〕最後に、本実施の形態に対する変形例について説明する。ただし、本実施の形態によって本発明が限定されるものではない。
【００１８】
〔I〕本実施の形態の基本的概念
まず、本実施の形態の基本的概念について説明する。本実施の形態に係る放送用中継局装置は、ＴＶ放送の放送システムにおいて、放送電波を入力信号として受信し、これに周波数変換を含む処理を施して出力信号を生成する機能を備えるものである。この種の放送用中継局装置において、入力信号は、発振器からの所定周波数の信号と混合され、その処理のために一旦中間信号に変換される。この状態でフィルタ回路によって信号ノイズの除去が施され、必要な信号増幅などが行われる。これらの処理を経た中間信号は、入力信号と同じかあるいは任意の周波数に、再度変換され出力される。
【００１９】
本発明に係る放送用中継局装置の代表的な例としては、ＴＶ放送用中継局装置がある。放送用中継局装置は、ＴＶ放送の放送システムにおいて、放送電波を山間部等の難視聴地域に中継するためのものであり、特に、本発明に係るものは、放送用信号を所定周波数の中間信号に変換した後、該中間信号を所定周波数の放送用信号に変換する信号変換機能を備えた放送用中継局装置である。本実施の形態が適用される放送用中継局装置は、その形式として、放送電波を受信する受信所と難視聴地域に電波を送信する送信所とが分離され光ファイバーなどの伝送路によって接続された分離型が、受信機と送信機が一箇所にある非分離型かを問わない。以下の実施の形態では、この放送電波の中継用の放送用中継局装置を例に挙げて説明する。なお、放送用中継局装置の構成としては、分波方法によって、ＳＣＰＡ（Ｓｉｎｇｌｅ  Ｃｈａｎｎｅｌ  Ｐｏｗｅｒ  Ａｍｐｌｉｆｉｅｒ）とＭＣＰＡ（Ｍｕｌｔｉ  Ｃｈａｎｎｅｌ  Ｐｏｗｅｒ  Ａｍｐｌｉｆｉｅｒ）に大別でき、本発明はいずれの構成にも同様に適用できるが、以下ではＳＣＰＡの例について説明する。
【００２０】
この他、本発明に係る放送用中継局装置の代表的な例としては、共聴用レベルコントローラがある。共聴用レベルコントローラは、共同住宅における受信側装置として備えられ、各受信チャンネル毎の利得ばらつきを調整して安定した出力信号を、同軸ケーブルなどを介して各住戸に出力するためのものである。共聴用レベルコントローラにおいても、入力信号としての放送電波は、各チャンネル毎に分波された後、ＳＡＷフィルタ（弾性表面波フィルタ）などで目的外の周波数成分を除去するために、一旦、発振器からの所定周波数信号と混合されて、所定の中間周波数信号に変換される。
【００２１】
〔II〕本実施の形態の具体的内容
次に、本実施の形態の具体的内容について説明する。最初に、本実施の形態に係るスケルチ及び放送用中継局装置の構成を説明し、次いで、この放送用中継局装置を用いて行われる各種の処理について説明する。
【００２２】
（構成）
図１は、本実施の形態に係る放送用中継局装置の構成を示すブロック図である。この放送用中継局装置１は、概略的に、受信アンテナ２、受信変換部３、送信変換部４、デジタルスケルチ５、ＰＡ６、及び送信アンテナ７を備えて構成されている。
【００２３】
受信アンテナ２は、放送局から送信された放送波を受信して放送用信号として受信変換部３に出力する。受信変換部３は、放送用信号を所定の中間信号に変換して送信変換部４に出力する中間信号変換手段である。送信変換部４は、中間信号を目的の周波数の放送用信号に変換する放送用信号変換手段である。これら受信変換部３や送信変換部４においては、中間信号に対するノイズ除去や信号増幅が行われる。デジタルスケルチ５については後述する。ＰＡ６は、放送用信号を増幅して切替え手段に出力する増幅手段である。送信アンテナ７は、放送用信号を放送波として送信する。なお、これら受信アンテナ２、受信変換部３、送信変換部４、ＰＡ６、及び送信アンテナ７については、従来と同様に構成できるので、その詳細は省略する。
【００２４】
（構成−デジタルスケルチ）
次いで、デジタルスケルチ５の構成について詳細に説明する。このデジタルスケルチ５は、放送用信号又は当該放送用信号に基づいて生成された中間信号の出力遮断制御を行うためのもので、特許請求の範囲におけるスケルチに対応する。図２は、図１のデジタルスケルチ５の構成を示すブロック図である。デジタルスケルチ５は、入力端子５ａ、出力端子５ｂ、復調部５ｃ、ＮＩＴ取得部５ｄ、ＮＩＴ判定部５ｅ、スケルチ制御部５ｆ、入出力インターフェース（以下「入出力Ｉ／Ｆ」）５ｇ、チャンネル表示器５ｈ、チャンネル設定ＳＷ５ｉ、同期表示灯５ｊ、ＮＩＴ受信表示灯５ｋ、ＮＩＴ設定ＳＷ５ｍ、スケルチ表示灯５ｎ、制御ＳＷ５ｐ、及びリセットＳＷ５ｑを備えて構成されている。
【００２５】
入力端子５ａは、前段機器（ここでは送信変換部４)からの放送用信号の入力を受け付ける入力手段である。出力端子５ｂは、後段機器（ここではＰＡ６）へ放送用信号を出力する出力手段である。復調部５ｃは、入力端子５ａから出力端子５ｂに至る線路から放送用信号を取得し、当該取得した放送用信号を復調してＮＩＴ取得部５ｄに出力する。
【００２６】
ＮＩＴ取得部５ｄは、放送用信号に多重されたＮＩＴ（Ｎｅｔｗｏｒｋ  Ｉｎｆｏｒｍａｔｉｏｎ  Ｔａｂｌｅ）を取得してＮＩＴ判定部５ｅに出力する識別情報取得手段である。ＮＩＴは、放送用中継局装置１によって中継を行うべき放送用信号を識別するための識別情報である。このＮＩＴには、放送用信号の物理チャンネル及び周波数が含まれている。ただし、識別情報の具体的種類は任意であり、ＮＩＴに代えて、ＳＤＴ（Ｓｅｒｖｉｃｅ  Ｄｅｓｃｒｉｐｔｉｏｎ  Ｔａｂｌｅ）、ＢＩＴ（Ｂｒｏａｄｃａｓｔｅｒ  Ｉｎｆｏｒｍａｔｉｏｎ  Ｔａｂｌｅ）、ＥＩＴ（Ｅｖｅｎｔ  Ｉｎｆｏｒｍａｔｉｏｎ  Ｔａｂｌｅ）、ＣＤＴ（Ｃｏｍｍｏｎ  Ｄａｔａ  Ｔａｂｌｅ）を含む、任意の情報を用いることができる。
【００２７】
ＮＩＴ判定部５ｅは、ＮＩＴ取得部５ｄにて取得されたＮＩＴに基づいて、入力端子５ａを介して入力された放送用信号に対する出力遮断制御の要否を判定する判定手段である。例えば、ＮＩＴ判定部５ｅは、当該放送用中継局装置１によって中継を行うべき放送用信号のＮＩＴを予め保持しており、このＮＩＴとＮＩＴ取得部５ｄにて取得されたＮＩＴとが相互に一致するか否かを判定することで、放送用信号の適否を判定する。これら２つのＮＩＴが相互に一致する場合におけるＮＩＴ判定部５ｅの判定結果を「ＮＩＴ一致」、相互に一致しない場合におけるＮＩＴ判定部５ｅの判定結果を「ＮＩＴ不一致」と称する。なお、ＮＩＴ判定結果としては、この他にも、ＮＩＴが取得できなかった場合（ＮＩＴ無）や、ＮＩＴに何らかのエラーがあった場合（ＮＩＴエラー）が存在する。
【００２８】
スケルチ制御部５ｆは、ＮＩＴ判定部５ｅの判定結果に基づいて出力遮断制御を行う出力遮断制御手段である。例えば、スケルチ制御部５ｆは、通常動作モードにおいては、ＮＩＴ判定部５ｅの判定結果に基づいて出力遮断制御を行い、設定モードにおいては、ＮＩＴ判定部５ｅの判定結果に関わらず放送用信号の出力を行う。通常動作モードとは、放送用信号の適否を監視して出力遮断制御を行うモードであり、第１モードに対応する。設定モードとは、通常動作モード以外の全ての動作状態を包含するモードであり、第２モードに対応するものであって、例えば、ＮＩＴを設定するモードや、各種のメンテナンス作業を行うモードが該当する。
【００２９】
入出力Ｉ／Ｆ５ｇは、外部機器との間で有線又は無線により通信を行うための入出力手段である。例えば、外部機器としては、上述した遠方監視装置が想定される。また、入出力Ｉ／Ｆ５ｇは、ＮＩＴ取得部５ｄにて取得されたＮＩＴを遠方監視装置に送信する送信手段である。
【００３０】
チャンネル表示器５ｈは、当該放送用中継局装置１によって中継を行うべき放送用信号のチャンネル番号を表示する表示手段であり、例えば、７セグメント表示器によって構成される。また、チャンネル表示器５ｈは、ＮＩＴ取得部５ｄにて取得されたＮＩＴを表示する識別情報出力手段である。チャンネル設定ＳＷ５ｉは、中継を行うべき放送用信号のチャンネル番号を設定するための入力スイッチである。同期表示灯５ｊは、放送用信号との同期状態を示す表示手段、ＮＩＴ受信表示灯５ｋは、放送用信号からのＮＩＴの取得状態を示す表示手段、スケルチ表示灯５ｎは、出力遮断制御の状態を示す表示手段であり、これらは例えばＬＥＤ（Ｌｉｑｕｉｄ  Ｅｍｉｔｔｉｎｇ  Ｄｉｏｄｅ）を用いて構成される。ＮＩＴ設定ＳＷ５ｍは、中継を行うべき放送用信号のＮＩＴを設定するための入力スイッチである。
【００３１】
制御ＳＷ５ｐは、出力遮断制御を自動的に解除することで、放送用信号をいわゆるスルー状態で出力端子５ｂに出力させるための指示手段であり、この制御ＳＷ５ｐが押圧されると、当該制御ＳＷ５ｐが再び押圧されるまで押圧状態が機械的に保持され、押圧状態が保持されている間は、基本条件と連続条件の充足の有無に関わらず、出力遮断制御が解除される。
【００３２】
リセットＳＷ５ｑは、スケルチ制御部５ｆをリセットするためのリセット手段である。
【００３３】
（中継処理）
次に、この放送用中継局装置１のデジタルスケルチ５において行われる中継処理について説明する。図３は中継処理のフローチャートである。なお、この処理では、ＮＩＴ判定部５ｅに対して予めＮＩＴが設定されている状態において、通常動作モードで中継処理を開始し、この中継処理の中で、通常動作モードが設定モードに切り替えられた例について説明する。また、設定モードでは、新しいＮＩＴを設定する場合を例に挙げて説明する。
【００３４】
ＮＩＴ取得部５ｄは、復調部５ｃにて復調された放送用信号からＮＩＴを取得し、このＮＩＴをＮＩＴ判定部５ｅに出力する（ＳＡ１）。ＮＩＴ判定部５ｅは、ＮＩＴ取得部５ｄにて取得されたＮＩＴと、予め自己に設定されたＮＩＴとが、相互に一致するか否かを判定する（ＳＡ２）。そして、ＮＩＴ判定部５ｅは、相互に一致しない場合には（ＳＡ２、Ｎｏ）、ＮＩＴ不一致の判定結果を示す信号をスケルチ制御部５ｆに出力する（ＳＡ３）。スケルチ制御部５ｆは、ＮＩＴ不一致の判定結果を受けた場合には出力を遮断する（ＳＡ４）。
【００３５】
ここで、任意のタイミングで操作者によってチャンネル設定ＳＷ５ｉが押されることで設定モードへの切り替えが指示されると（ＳＡ５、Ｙｅｓ）、通常動作モードが、ＮＩＴを設定するための設定モードに切り替えられてＮＩＴ設定処理が実行される（ＳＡ７）。ここで、スケルチ制御部５ｆは、このように通常動作モードが設定モードに切り替えられる際には、当該切り替えに先立って、ＮＩＴ判定部５ｅからの判定結果に関わらず放送用信号の出力を継続するための、強制的なスルー制御を行う（ＳＡ６）。
【００３６】
図４はＮＩＴ設定処理のフローチャートである。復調部５ｃにて復調された放送用信号からＮＩＴ取得部５ｄにて取得されたＮＩＴと、このＮＩＴに含まれるチャンネル番号（物理チャンネル）が、チャンネル表示器５ｈに表示される（ＳＢ１）。例えば、ＮＩＴとチャンネル番号は交互に表示され、ＮＩＴの桁数がチャンネル表示器５ｈの表示桁数より多い場合には、ＮＩＴは複数に分割して順次表示される。操作者は、これらチャンネル番号及びＮＩＴの表示内容を目視することで、現在の放送用信号の内容を確認でき、この放送用信号が希望波によるものであるか否かを確認することができる。そして、操作者は、希望波のＮＩＴがチャンネル表示器５ｈに表示されている時にＮＩＴ設定ＳＷ５ｍを押すことで、当該表示されているＮＩＴの保持を指示する。この指示を受けたＮＩＴ判定部５ｅは（ＳＢ２、Ｙｅｓ）、その時点においてチャンネル表示器５ｈに表示していたＮＩＴを内部に保持することで、ＮＩＴの設定を行う（ＳＢ３）。これにて設定処理が終了して、通常動作モードに復帰する。
【００３７】
図３において、スケルチ制御部５ｆは、設定モードから通常動作モードへの復帰を監視している（ＳＡ８）。そして、スケルチ制御部５ｆは、通常動作モードから設定モードへ切り替えられてから所定時間（例えば１０分以内）に通常動作モードに復帰しない場合には（ＳＡ９、Ｙｅｓ）、設定モードが所定時間以上継続している旨を報知するための報知信号を生成し、この報知信号を入出力Ｉ／Ｆ５ｇを介して遠方監視装置に送信する（ＳＡ１０）。この遠方監視装置では、報知信号が所定形式で出力されることで、設定モードが所定時間以上継続しており、強制的なスルー制御が行われていることを把握できる。そして、必要に応じて、設定モードから通常動作モードへ強制復帰させるための制御信号を遠方監視装置からデジタルスケルチ５に送信し、この制御信号を入出力Ｉ／Ｆ５ｇを介して受信したスケルチ制御部５ｆに、設定モードから通常動作モードへの強制復帰を実行させてもよい。
【００３８】
設定モードから通常動作モードへ復帰した場合（ＳＡ８、Ｙｅｓ）、スケルチ制御部５ｆは、強制的なスルー制御を解除した上で（ＳＡ１１）、ＳＡ１に移行して出力遮断の判定を再開する（ＳＡ１）。なお、ＮＩＴ判定部５ｅにおける判定は、ＮＩＴ設定処理において当該ＮＩＴ判定部５ｅの内部に新たに保持されたＮＩＴを用いて行われる。
【００３９】
（効果）
このように本実施の形態によれば、通常動作モードにおいては、ＮＩＴ判定部５ｅの判定結果に基づいて出力遮断制御を行い、設定モードにおいては、ＮＩＴ判定部５ｅの判定結果に関わらず放送用信号の出力を行うため、例えば、通常動作を行う場合には出力遮断制御を行い、各種の設定作業を行う際には放送用信号の出力を行うことで、各種の設定作業においてミスが生じた場合であっても放送用信号の出力を継続でき、放送の信頼性を高めることができる。
【００４０】
また、本実施の形態によれば、設定モードは識別情報をＮＩＴ判定部５ｅに設定するための設定処理モードを含むので、ＮＩＴの設定作業中には放送用信号の出力を行うことで、ＮＩＴの設定作業においてミスが生じた場合であっても放送用信号の出力を継続でき、放送の信頼性を高めることができる。
【００４１】
また、本実施の形態によれば、設定モードが所定時間以上継続した場合に報知信号出力を行うので、強制的なスルー状態が長時間継続していることを外部に報知でき、問題を確認して通常動作への復帰を行わせる等の措置を早期に講ずることが可能となる。
【００４２】
〔III〕実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００４３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００４４】
（放送用中継局装置の構成について）
また、本実施の形態においては、放送用中継局装置１の内部におけるデジタルスケルチ５の配置位置は任意に変更でき、例えば、送信変換部４の前段に設けてもよい。また、出力遮断制御の具体的方法も変更可能であり、出力端子５ｂへの出力を遮断するのではなく、例えばＰＡ６の電源をＯＦＦとしてもよい。あるいは、デジタルスケルチ５の機能を、受信変換部３、送信変換部４、又はＰＡ６に内蔵してもよい。
【００４５】
（モードの切替タイミングについて）
第１モード（実施の形態における通常動作モード）を第２モード（実施の形態における設定モード）に切り替えるための切替タイミングは任意であり、図３に示すタイミング以外の任意のタイミングでモード切替を行うことができる。また、設定時モードに設定したチャンネルが正しいかどうかを確認するために、設定したチャンネルの映像を表示するためのモニタを備え、映像を確認して正しければスルー状態を解除して通常動作に復帰するようにして放送事故を防ぐようにしてもよい。
【図面の簡単な説明】
【００４６】
【図１】本発明の実施の形態に係る放送用中継局装置の構成を示すブロック図である。
【図２】図１のデジタルスケルチの構成を示すブロック図である。
【図３】中継処理のフローチャートである。
【図４】ＮＩＴ表示処理のフローチャートである。
【図５】従来の放送用中継局装置の構成を示したブロック図である。
【符号の説明】
【００４７】
１、１００  放送用中継局装置
２、１０１  受信アンテナ
３、１０２  受信変換部
４、１０３  送信変換部
５  デジタルスケルチ
５ａ  入力端子
５ｂ  出力端子
５ｃ  復調部
５ｄ  ＮＩＴ取得部
５ｅ  ＮＩＴ判定部
５ｆ  スケルチ制御部
５ｇ  入出力Ｉ／Ｆ
５ｈ  チャンネル表示器
５ｉ  チャンネル設定ＳＷ
５ｊ  同期表示灯
５ｋ  ＮＩＴ受信表示灯
５ｍ  ＮＩＴ設定ＳＷ
５ｎ  スケルチ表示灯
５ｐ  制御ＳＷ
５ｑ  リセットＳＷ
６、１０４  ＰＡ
７、１０５  送信アンテナ
１０２ａ、１０３ａ  スケルチ
【図１】
2010068159.tif 000003
【図２】
2010068159.tif 000004
【図３】
2010068159.tif 000005
【図４】
2010068159.tif 000006
【図５】
2010068159.tif 000007